(57)【要約】底面、底面に接続される第１側面と第２側面、底面に接続される前面と後面及び上部開口部を有するバッグを形成するための第１側面と第２側面を含むペット用使い捨てトイレバッグ。前面はペットの出入りのための開口部を有する。前面と後面の上端には、上部開口部を確実に閉止することができるように、前面と後面を開放可能なように接続するための仕組みが提供される。バッグは、使用の直前に拡げられるように設計及び形成される。バッグは、上部開口部から通した手による圧力で開いた状態での直立が可能であり、上部開口部を介して新しいトイレ用吸収剤を容易に追加できるように更に設計及び形成される。バッグは、必要に応じて上部開口部が確実に閉止できるように更に設計及び形成される。
2004517626.tif 000002
【特許請求の範囲】
【請求項１】
室内で飼育されているペットの排泄物を受けるためのペット用使い捨てトイレバッグであって、硬い紙から作られる該バッグは、
（ａ）底面と、
（ｂ）前記底面に接続される第１側面と、
（ｃ）前記底面に接続される第２側面と、
（ｄ）前記底面と前記第１及び第２側面に接続される後面と、
（ｅ）前記底面と前記第１及び第２側面に接続される前面と、
（ｆ）前記後面と前記前面の間に確実な閉止を提供するための仕組みと、
からなり、前記第１側面、前記第２側面、前記後面及び前記前面は、ペット用のトイレバッグを折り畳むための、予め付けられた折り目を有する。
【請求項２】
前記仕組みが、前記後面と前記前面の上端に取り付けられることを特徴とする請求項１のペット用使い捨てトイレバッグ。
【請求項３】
（ｇ）ペット用トイレバッグの面にペットの出入り口として形成される、側部開口部、
から更になる請求項１のペット用の使い捨てトイレバッグ。
【請求項４】
前記側部開口部が複数の穿孔によって予め形成されることを特徴とする請求項４のペット用使い捨てトイレバッグ。
【請求項５】
前記複数の穿孔が実質的にＵ字状であり、前記穿孔が裂かれると、前記側部開口部にドアが形成されることを特徴とする請求項４のペット用使い捨てトイレバッグ。
【請求項６】
前記ペット用トイレバッグに前記ペットが出入りした後に閉止するための前記ドアが設計され形成されることを特徴とする請求項５のペット用使い捨てトイレバッグ。
【請求項７】
前記側部開口部を閉止し密封するために更に設計及び形成されることを特徴とする請求項３のペット用使い捨てトイレバッグ。
【請求項８】
前記ペット用トイレバッグを運ぶために前記前面及び後面に一組の把手を更に含むことを特徴とする請求項１のペット用使い捨てトイレバッグ。
【請求項９】
前記把手部が前記仕組みとして設計及び形成されていることを特徴とする請求項８に記載の前記ペット用使い捨てトイレバッグ。
【請求項１０】
前記確実な閉止は、開放可能な閉止であることを特徴とする請求項１に記載の前記ペット用使い捨てトイレバッグ。
【請求項１１】
前記開放可能な閉止は、平らな可撓性のワイヤーを含んでいることを特徴とする請求項１０に記載の前記ペット用使い捨てトイレバッグ。
【請求項１２】
前記開放可能な閉止は、前記前面と前記後面の内端に配置される押圧して貼着するものであることを特徴とする請求項１０に記載の前記ペット用使い捨てトイレバッグ。
【請求項１３】
前記開放可能な閉止は、円筒状突出ピンを有する第１バンドと、前記円筒状突出ピンのための相補的収納部を有する第２バンドであることを特徴とする請求項１０に記載の前記ペット用使い捨てトイレバッグ。
【請求項１４】
前記開放可能な閉止は、少なくとも１つのループとフックの接続を含むことを特徴とする請求項１０に記載の前記ペット用使い捨てトイレバッグ。
【請求項１５】
ペット用トイレバッグの使用法であって、該使用法は、
（ａ）前記ペット用トイレバッグを折り畳まれた状態で提供すること、該ペット用トイレバッグは、
（ｉ）底面、
（ｉｉ）前記底面と接続している第１側面、
（ｉｉｉ）前記底面と接続している第２側面、
（ｉｖ）前記底面、前記第１側面及び前記第２側面と接続している後面、
（ｖ）前記底面、前記第１側面及び前記第２側面と接続している前面、
（ｖｉ）前記後面と前面の接続を提供する仕組みからなり、
（ｂ）前記ペット用トイレバッグに上部開口部を形成するために、前記前面と前記後面を分離させること、
からなる。
【請求項１６】
更に、
（ｃ）最大限拡げた状態にペット用使い捨てトイレバッグを設置するために、前記第１側面及び前記第２側面に対して内部圧力を適用するステップからなることを特徴とする請求項１５記載の方法。
【請求項１７】
更に、
（ｄ）ペット用使い捨てトイレバッグの一面に側部開口部が設けられ、該側部開口部がＵ字状の開口部を有することで、前記側部開口部にドアが形成されるステップからなることを特徴とする請求項１６記載の方法。
【請求項１８】
更に、
（ｅ）ペット用使い捨てトイレバッグから前記ペットが出入りした後に前記ドアが自動的に閉止されるステップからなることを特徴とする請求項１７記載の方法。
【請求項１９】
前記内部圧力が、前記上部開口部を介して両手を挿入することによって、適用されることを特徴とする請求項１６記載の方法。
【請求項２０】
更に、
（ｅ）前記上部開口部を介してペット用トイレを取り入れるステップからなることを特徴とする請求項１７記載の方法。
【請求項２１】
更に、
（ｆ）前記上部開口部を閉止するために、前記後面及び前記前面が当接するステップからなることを特徴とする請求項１８記載の方法。
【請求項２２】
（ｅ）前記側部開口部を閉止するとともに密封するステップからさらになる請求項１７記載の方法。
【請求項２３】
前記当接が、前記前面と前記後面の上端で折り畳むことによって実施されることを特徴とする請求項２１記載の方法。
【請求項２４】
前記当接が、ペット用トイレバッグの周囲に沿って第１の平らな可撓性ワイヤーと第２の平らな可撓性ワイヤーが、折れ曲がるように実施され、バッグを閉止するように折り目が設けられることを特徴とする請求項２１記載の方法。
【請求項２５】
前記当接が、ペット用トイレバッグの周囲において、平らな可撓性ワイヤーが垂直に折れ曲がるように実施され、バッグを閉止するように折り目が設けられることを特徴とする請求項２１記載の方法。
【請求項２６】
前記当接が、押圧して貼着するものにより実施されることを特徴とする請求項２１記載の方法。
【請求項２７】
前記当接が、円筒状突出ピンをもつ第１バンドを第２バンドの相補的収納部に押し入れることによって実施されることを特徴とする請求項２１記載の方法。
【請求項２８】
前記当接が、複数のループとホックの接続によって実施されることを特徴とする請求項２１記載の方法。
【発明の詳細な説明】
【０００１】
（発明の分野及び背景）
本発明はペット用トイレバッグ、より詳細には、衛生的であり、製造及び使用が単純であり、組立及び処理が簡単な、猫用の使い捨てトイレバッグである。
【０００２】
古代から家猫と人間は共生関係であった。餌と住む場所の提供の引き換えに、猫は飼主の友となり、ハツカネズミ、鼠、害虫の蔓延を防いだ。何世代もの間、猫は主に納屋、穀物倉、倉庫及び他の飼主の離れに住んだ。
しかしながら、社会の絶え間ない都会化の増加により、走り回るのに必要なスペースがないアパートや他の小さい住宅の室内での生活環境に、適応させることができるため、犬に替わって猫が最も一般的なペットとなった。
さらに、猫は、室内で排泄を行う訓練を行うことができ、屋外での散歩を必要としない。
今日の都市社会では、家猫は大部分の時間を家やアパートの中で過ごし、一生を家屋の中で過ごすことは珍しいことではない。
【０００３】
室内環境での人間と猫との共存共栄には、猫の排泄物処理の重要かつ不愉快な問題を含むいくつもの問題が結び付いている。蓋のない平らな容器のペット用トイレでの顆粒状の吸収剤の使用は、近年一般的に受け入れられるようになってきたが、トイレ用吸収剤の取り替えと使用済みトイレ用吸収剤の処理は面倒で非衛生的である。
【０００４】
更に全ての排泄物が吸収されるとは限らない。排泄物はしばしばトイレ容器の側面や底に付着し、いやな臭いを放ち、容器の定期的な清掃と消毒を必要とする。
更に、自分の排泄物を埋める猫の自然な行動によって、しばしば吸収剤と排泄物を容器の外に放り出すことがある。最後に猫の排泄物と吸収剤は、猫とその飼主の両方の健康上の問題を引き起こすノミやダニを含んでいる。
最も危険なものは、特に猫の排泄物から見つかる寄生虫がおこす妊娠中の女性に有害であるトキソプラズマ症である。
【０００５】
従来技術によって、相違するデザイン、形状でいくつもの使い捨てペット用トイレ容器が提案されており、その中のいくつかは組立と使用が複雑であるが、他の物は便利に用いられる。
【０００６】
米国特許第４，８７２，４２０号において、シェパードは、容器に取り付けられる、処理可能な防水性バッグを内側に有する蓋なしの容器を開示し、該容器は、使用後にバッグを取り外し、処理の前に紐を引くことにより閉じることが可能である。
この種類の容器は、より衛生的であり、それほど扱いが面倒ではなく、猫の飼主の健康への危険性がより少なく、より易しい処理の方法を提供する。
しかしながら、いやな臭いと同様に猫が吸収剤と排泄物を埋めようとすることにより容器の外に放り出すことに対しては、依然未解決の問題である。
【０００７】
従来技術によって、他にも相違するデザインでいくつもの使い捨てペット用トイレが提案されており、その中のいくつかは比較的組立が複雑であり、様々な折り目を付ける技術を必要とするものもある。
ローチによる米国特許第５，１１７，７８１号、ウォラックによる米国特許第５，０２７，７４８号は、上記のトイレ用容器の例である。上記のトイレ用容器の中には、既にペット用の吸収剤を含むものもあるが、他のトイレ用容器は直立させた後、使用の前にペット用の吸収剤を追加する必要がある。
この種のトイレ用容器は、蓋なしの平らなトイレ容器が抱える多くの問題を解決するが、組立が複雑であり、比較的重く高価である。
【０００８】
より軽く且つ組立がより易しい、様々な使い捨てトイレ容器が開示されている。典型的な例は、モンクによる米国特許第５，１７８，１００号である。しかしながら、これら容器は、製造、購入が比較的高価となる。
【０００９】
他の方法として、スカービンによる米国特許第４，８８４，５２７号は、平らに折り畳まれたダンボール箱から展開する紙の構造物を開示する。ローデスによる米国特許第４，７６０，８１６号及びハジウクによる米国特許第５，０６５，７０２号において、容器はアコーディオンのようなプリーツ構造を有する。これら容器は軽く、組立も容易いが、多量の原材料を要するため高価で無駄が多くなる。
【００１０】
吸収剤を保持するための平らに折り畳まれたダンボール箱から展開される紙のテントの様な閉止容器からなる、より単純な使い捨てペット用トイレ容器は、ゴッドウィンによる米国特許第４，９８１，１０４号に開示される。
前記のデザインとは対照的に、米国特許第４，９８１，１０４号の容器は、製造に費用が高額ではない。猫のための、紙、テントのような面、閉止容器を形成する薄いダンボールの底部のみからなる同様の容器は、マンスクレックによる米国特許第５，３９６，８６４号で開示されている。
この容器は、一般的な包装がされた紙袋と同様に包装された状態で購入、保存される。
この容器は費用が高額ではなく、非常に軽く、保存が簡単ではあるが、上端が閉じられているため、非常に開きにくい。
したがって、側部開口部（すなわち、猫が出入りする小さな開口部）を通して容器の中へ手を二本挿入することにより容器を開かなければならず、内部から面に対して圧力を加えなければならない。同様に、側部開口部を通して新しい吸収剤を不便な方法で挿入しなければならない。
【００１１】
従って値段が高くなく、衛生的で製造が簡単な、特に組立と使用において使い勝手が良いペット用トイレバッグに対するはっきりとした必要性があり、該ペット用トイレバッグを有することは非常に利点がある。
【００１２】
（発明の要約）
本発明は、衛生的で、製造と使用が簡単な猫用の使い捨てトイレバッグである。
【００１３】
組立が容易で吸収剤の処理がそれほど不愉快ではないペット用トイレバッグ・システムを提供することが本発明の目的である。
【００１４】
処理が容易であるペット用トイレ吸収剤システムを提供することもまた本発明の目的である。
【００１５】
輸送及び保管が容易な、より軽いペット用トイレ吸収剤システムを提供することが本発明の更なる目的である。
【００１６】
本発明の更なる目的は、ペットにとって、より快適でゆったりとした平らな底面を有するペット用トイレシステムを提供することにある。
本発明は、室内で飼っているペットの排泄物を受けるためのペット用使い捨てトイレバッグを提供するものであり、前記バッグは硬い紙で作成され、（ａ）底面、（ｂ）底面と接続している第１側面、（ｃ）底面と接続している第２側面、（ｄ）底面、第１及び第２側面と接続している後面、（ｅ）底面、第１及び第２側面と接続している前面、（ｆ）前面と後面の確実な閉止を提供する仕組みを含み、第１側面、第２側面、前面及び後面に予めバッグを折り畳むための折り目が付けられていることを特徴とする。
【００１７】
本発明の別の関点によると、ペット用トイレバッグの使用法が提供されており、該方法は、（ａ）折り畳まれた状態のペット用トイレバッグを提供し、該バッグは、（ｉ）底面、（ｉｉ）底面と接続している第１側面、（ｉｉｉ）底面と接続している第２側面、（ｉｖ）底面、第１及び第２側面と接続している後面、（ｖ）底面、第１及び第２側面と接続している前面、（ｖｉ）後面及び前面の上端に取り付けられている前面と後面の確実な閉止を提供する仕組みからなり、（ｂ）ペット用トイレバッグに上部開口部を形成するために、前面と後面を分離させるステップを含む。
【００１８】
本発明の好適な実施形態の特徴の１つによれば、前記仕組みは後面と前面の上端に設けられる。
本発明の好適な実施形態の更なる特徴によれば、ペット用トイレバッグは、側部開口部を１つの面に有し、前記側部開口部はペットの出入り口として形成される。
本発明の好適な実施形態の別の特徴によれば、側部開口部が穿孔によって、予め形成される。
本発明の好適な実施形態の更なる別の特徴によれば、穿孔は実質的にＵ字状であり、穿孔を裂くことによって、側部開口部にドアが形成される。
【００１９】
本発明の好適な実施形態の更なる別の特徴によれば、ドアはペットがペット用トイレバッグに出入りした後に閉止するように設計及び形成されている。
本発明の好適な実施形態の更なる特徴によれば、側部開口部は、閉止され密封されるように設計及び形成されている。
本発明の好適な実施形態の更なる特徴によれば、前面及び後面は、ペット用トイレバッグを持ち運びするための１組の把手部を更に含む。
本発明の好適な実施形態の更なる特徴によれば、把手部は前面と後面を、接続を提供するための仕組みとして設計、形成されている。仕組みは後面と前面の上端に取り付けられている。
【００２０】
本発明の好適な実施形態の更なる特徴によれば、確実に閉止することは取り外し可能な接続状態を含む。
本発明の好適な実施形態の更なる特徴によれば、確実に閉止することは、平らな可撓性のワイヤーを含む。
本発明の好適な実施形態の特徴によれば、確実に閉止することは、前面と後面の内端に圧着することを含む。
本発明の好適な実施形態の別の特徴によれば、前記開放可能なように閉止することは、円筒状突出ピンを有する第１バンドと、前記円筒状突出ピンのための相補的収納部を有する第２バンドを含む。
【００２１】
本発明の好適な実施形態の別の特徴によれば、開放可能に閉止することは、少なくとも１つのループとフックの接続を含む。
方法の更なる特徴によれば、上部開口部は、（ｃ）ペット用トイレバッグを最大限に拡げた状態にするために、第１面と第２面に内側から圧力を加えるステップを更に含む。
本発明の好適な実施形態によれば、方法は、（ｄ）ペット用トイレバッグの面に側部開口部を開くステップを更に含み、それにより、Ｕ字状の側部開口部とドアが形成される。
本発明の好適な実施形態によれば、方法は、（ｅ）ペットがペット用トイレバッグへ出入りした後に、自動的に閉まるステップを更に含む。
【００２２】
本発明の好適な実施形態によれば、側面に内部圧力を加える過程は、上部開口部を通して、手をペット用トイレバッグに入れることによって達成される。
本発明の更なる実施形態によれば、方法は、（ｅ）上部開口部を介して、手をペット用トイレバッグに入れるステップを更に含む。
本発明の別の好適な実施形態によれば、方法は、（ｆ）上部開口部を当接するための後面と前面を当接するステップを更に含む。
本発明の別の好適な実施形態によれば、方法は、側部開口部を閉止し密封するステップを更に含む。
【００２３】
本発明の別の好適な実施形態によれば、方法は、ペット用トイレバッグの後面と前面の上端を折り曲げることによって、後面と前面を当接させる方法を更に含む。
本発明の別の好適な実施形態によれば、後面と前面を当接させる前記方法は、第１の平らな可撓性のワイヤーと第２の平らな可撓性のワイヤーを、前記ペット用トイレバッグの周りに巻く過程を更に含み、該過程によってペット用トイレバッグを閉止し、閉止した状態に固定する。
本発明の別の好適な実施形態によれば、後面と前面を当接させる方法は、平らで可撓性のワイヤーを、ペット用トイレバッグの周りに垂直に曲げる過程を更に含み、該過程によって、ペット用トイレバッグを閉止し、閉止した状態に固定する。
【００２４】
また、他の好適な実施形態に於いて、本方法は、押圧して貼着するものにより前面及び後面を当接させることを含んでいる。
【００２５】
更に、好適な実施形態に於いて、本方法は、円筒状突出ピンを有する第１バンドを第２バンドの相補的収納部へと押し当て、前面及び後面を当接させることを含んでいる。
又更に、好適な実施形態に於いて、本方法は、複数のループとホックを係止し、前面及び後面を当接させることを含んでいる。
【００２６】
本発明によって、衛生的で、安価であり更に、組立、使用及び処理に於いて極めて利便性を有するペット用使い捨てトイレバッグでの猫又は他のペットに住居を与えるためのシステム及びこの方法を提供することによって、従来周知技術の欠点を上手に書き換えることができる。
【００２７】
本発明は、この明細書中に於いて、単に実施例を示すための添付図面を参照にして説明される。
詳細に図面を参照するとともに、開示される明細は、例示のため且つ本発明の好適な実施形態に於ける説明のための論議の目的のためであり、更には、発明の原理的及び概念的な面に於いて、最も有用であり且つ容易に理解可能な詳述であると確信することを提供するために提示していると強調される。この点に於いて、本発明を基本的に理解するために必要な詳細よりも、更に本発明の構造的な詳細が示されることは有り得ず、本発明の幾つかの形態を実際にどのように実施するかを、当業者に明確にするための図面を詳述に開示する。
【００２８】
本発明は、衛生的で、安価であり更に、組立及び使用に於いて極めて利便性を有するペット用使い捨てトイレバッグでの猫又は他のペットに住居を与えるためのシステム及びこの方法である。
本発明に係るシステム及び方法の原理及び手法は、図面及び添付の明細を参照してより良く理解することができる。
【００２９】
少なくとも本発明の一実施形態を詳細に説明する前に、本発明は発明の適応に於いて、以下の詳述で設定される又は図面で説明される構成要素の構造及び組み合わせの詳述に限定されるものではないことを理解されたい。本発明は、他の実施形態が可能であり、多種多様な方法での実施又は実行が可能である。又、本明細書中に使用される語法や用語法は、詳述を目的とされるとともに制限するためのものではないことを理解されたい。
【００３０】
以下に示される明細書及び特許請求の範囲で使用される紙と言う文言は、多種多様な紙を言及し、好ましくは、リサイクル・ペーパーや紙のような素材、例えば、薄いプラスチック・シート又は合成繊維が言及される。
【００３１】
ここで図面について言及する。図１は、分離状態に於ける係合の仕組みを伴い、組立状態に於けるペット用使い捨てトイレバッグ１０の透視図である。本発明に従うと、ペット用使い捨てトイレバッグ１０は、硬い紙、例えば、♯７０クラフト・ペーパーからなり、更に、好ましくは、約５〜約４０ミル（ｍｉｌｓ）の範囲の薄さを有している。紙の内部表面は、例えば、ワックス層を適用することによって、紙を実質的に防水性を有するために処理されている。代替的に内部表面は、ポリエチレン層（図示せず）が敷設され、好ましくは、約０．５〜約１．０ｍｍの薄さを有している。
【００３２】
ペット用使い捨てトイレバッグ１０は、底部１３、第１側面１６、第２側面１９、後面２２及び前面２５を含む。これらの面は、それぞれ底部１３に接続されている。後面２２及び前面２５は、ペット用使い捨てトイレバッグ１０の上部開口を形成するために、第１側面１６及び第２側面１９に接続されている。
【００３３】
ペット用使い捨てトイレバッグ１０を拡げることは、好ましくは、手を挿入して、前面２５から後面２２を分離させ、且つ、バッグ１０が上部開放状態で直立されるまで、ペット用使い捨てトイレバッグ１０の内側から面へ圧力をかけることによって行われる。このバッグを拡げることは、容器の開放は両手を、収縮した不便な側部開口部（例えば、ペットが出入りする開口部）を通して容器に挿入し、面に対して内側圧力を利用することによって達成され、又、形崩れしない閉止上部を有するテントのような容器での従来技術と比較して極めて利便性がよい。
【００３４】
好適な実施形態によると、分離は、ペット用使い捨てトイレバッグ１０を容易に運搬するために使用される把手部２８ａ２８ｂを使用することに実行される。第１把手部２８ａは後面２２の上部に、第２把手部２８ｂは前面２５の上部に貼着される。
【００３５】
側部開口部３０は、ペット用トイレバッグ１０にペットが出入りすることを可能とするために面の１つに入れられた切り込みである。例えば円形や長方形など、様々な形状にすることが可能である。好適な実施形態において、一連のＵ字状穿孔３３は、上端で前面２５と接続するドア３４と側部開口部３０を形成するために開けられる。側部開口部３０はペットがペット用トイレバッグ１０に容易に出入りできるようにそれぞれの大きさに合わせられ、適合される。従来技術と対比して、ペット用トイレバッグ１０は、本発明に従い、後面２２と前面２５を接続する仕組み３５によって閉止され、固定される。
【００３６】
仕組み３５は、開放可能な閉止を含め、様々なデザインが可能である。図１〜５に示されているその１つのデザインは、平らで可撓性ワイヤー（もしくはバンド）３５ａと３５ｂで構成されている。それぞれのワイヤーはプラスチック材料で裏打ちされ、厚さは約０．５〜１ミリメートルであることが望ましい。一方のワイヤー３５ｂは後面２２側に、もう一方のワイヤー３５ａは前面２５に貼着されている。曲げやすいワイヤー３５ａと３５ｂはペット用トイレバッグ１０の上部が確実に閉止されるように、バッグ１０の周囲に曲げられて折り目がつくように、もしくは反対側の面に固定するために、設計されるとともに形成されている。
【００３７】
他の好適な実施形態において、後面２２もしくは前面２５の上部に貼着されている、単独の可撓性ワイヤー３５ｃが、ペット用トイレバッグ１０の上部が確実に閉止されるように、バッグ１０の周囲に垂直に曲げられて折り目がつくように、もしくは反対側の面に固定されるために、設計されると共に形成されている。
【００３８】
図５では、前記の可撓性ワイヤー（３５ａと３５ｂ、３５ｃ）はペット用トイレバッグ１０の上部で折り畳まれた後で固定されているが、前記の可撓性ワイヤーは、始めにバッグの上部を折り畳むという行為なしに、バッグを閉止したまま固定し、くせをつくるために位置づけられることが可能だと強調されなければならない。
【００３９】
仕組み３５の、他にとりうるデザインは、一片の紙によって保護された押圧して貼着するもので構成される。その押圧して貼着するものは、面２２と面２５の少なくともどちらか一方の内側上端に配置される。そのシステムは、封筒を閉じる際に使用されるシステムに似ている。これらの２つの面を接続するために、保護片がはがされ、そして後面２２と前面２８が押し合わされる。
【００４０】
仕組み３５の更に他の好適な実施形態において、ペット用トイレバッグ１０は面２２と面２５のどちらか一方がもう一方より、好ましくは約７〜１０ｃｍ長くなるように加工される。長い面は短い面の上に曲げられる。すなわち、長い面から保護片がはがされ、面２２と面２５の接触を形成するために、押し合わされるのである。
【００４１】
図６と７に示されたさらに好適な実施形態に従って、接触３５の仕組みは後面２２と前面２８の上端に係合された片４８ａ、片４８ｂで構成される。一方は２〜４本の円筒状突出ピン５０を有する。ピンはそれぞれ直径約３〜７ｍｍで、もう一方の相補的収納部に押し入れられている。
【００４２】
更にまた別の好適な実施形態に従って、仕組み３５は把手部２８ａと把手部２８ｂを含む。把手部２８ａと２８ｂは、一例として、前記のピンと相補的収納部で取り付けられている。
【００４３】
後面２２と前面２５を当接する前に、新しいトイレ用吸収剤（通常は、吸収する砂利）が上部開口部からペット用トイレバッグに入れられることが望ましい。
【００４４】
本発明のペット用トイレバッグ１０は、当然ながら様々な大きさのペットを収容するために様々な大きさに加工されることが可能である。
【００４５】
図２〜４は使い捨てのペット用トイレバッグ１０の折り畳まれた状態（図２）からほとんど展開された状態（図４）までの展開を例示する透視図である。図３に示されているように、ペット用トイレバッグ１０の上部開口部が、わずかに開放された状態であるとき、バッグ１０が最大限に開かれた状態になるまで（図１のように）、手を上部開口部８０に入れ、バッグ１０の内側の面に力をかけて、バッグ１０を展開することが特に効果的で便利である。
【００４６】
ペット用トイレバッグ１０の後面２２、前面２５、第１側面１６、及び第２側面１９には、予め付けられた折り目がある。該折り目はバッグ１０が、特に小型で輸送や保管に適した、平らで折り畳まれた状態になることを可能にしている。
【００４７】
図７は、展開された状態で、ペットの出入りのための側部開口部が開放されており、バッグ１０の中にペットのトイレ用吸収剤が挿入されている、ペット用トイレバッグ１０の正面図である。
【００４８】
好適な実施形態に従って、ペット用トイレバッグ１０の処理前に、開口部３０には接着片４５によって密封されるとともに固定される。図５は密封された状態で、仕組み３５によって後面２２と前面２５が当接したペット用トイレバッグ１０を示している。この状態のペット用トイレバッグ１０は把手部２８ａと２８ｂによって持ち運びされるとともに処理されることが可能である。
【００４９】
本発明は特定の実施例とともに示されたけれども、当業者にとって多くの代替、改良そして変更形態があることは明らかである。従って、添付の請求項の本質及びそれを拡大した部分に包含される全ての代替例、改良例及び変更例を包括するものである。あたかも、個々の文献、特許、特許出願のそれぞれが、記載事項と同程度に、個々別々に参照によって、この明細書中に組み込まれ、開示されているかのように、この明細書に記載されたすべての文献、特許、特許出願はこの明細書での参照により全体が組み込まれている。加えて、本出願書類中で参照された引用文献やそれと同一のものは、本発明以前にそのような引用が利用可能であることの証拠と解釈すべきでない。
【図面の簡単な説明】
【図１】
本発明に係るペット用使い捨てトイレバッグの直立状態に於ける透視図であり、（上部開口部の閉止の）分離状態に於ける係合の仕組みを伴い、側部開口部での孔が開かれてドアが部分的に開放された状態である。
【図２】
使用前の折り畳み状態にあるペット用使い捨てトイレバッグの透視図である。
【図３】
ペット用使い捨てトイレバッグを展開する際の中間状態を示す透視図である。
【図４】
直立状態に近い状態のペット用使い捨てトイレバッグの透視図である。
【図５】
直立して処理する前のペット用使い捨てトイレバッグの透視図であり、前面及び後面が接触状態にあり、側部開口部が再度閉じられている。
【図６】
側部開口部の穿孔が開放される前の、展開状態に於けるペット用使い捨てトイレバッグの平面図である。
【図７】
側部開口部が開放し、展開状態に於けるペット用使い捨てトイレバッグの平面図である。
【図１】
2004517626.tif 000003
【図２】
2004517626.tif 000004
【図３】
2004517626.tif 000005
【図４】
2004517626.tif 000006
【図５】
2004517626.tif 000007
【図６】
2004517626.tif 000008
【図７】
2004517626.tif 000009
【国際公開パンフレット】
2004517626.tif 000010
2004517626.tif 000011
2004517626.tif 000012
2004517626.tif 000013
2004517626.tif 000014
2004517626.tif 000015
2004517626.tif 000016
2004517626.tif 000017
2004517626.tif 000018
2004517626.tif 000019
2004517626.tif 000020
2004517626.tif 000021
2004517626.tif 000022
2004517626.tif 000023
2004517626.tif 000024
2004517626.tif 000025
2004517626.tif 000026
2004517626.tif 000027
2004517626.tif 000028
2004517626.tif 000029
2004517626.tif 000030
2004517626.tif 000031
2004517626.tif 000032
2004517626.tif 000033
2004517626.tif 000034
【国際公開パンフレット（コレクトバージョン）】
2004517626.tif 000035
2004517626.tif 000036
【手続補正書】
【提出日】平成15年4月9日(2003.4.9)
【手続補正１】
【補正対象書類名】明細書
【補正対象項目名】特許請求の範囲
【補正方法】変更
【補正の内容】
【特許請求の範囲】
【請求項１】
ペット用使い捨てトイレバッグを使用する方法であって、
（ａ）折り畳まれた状態のペット用使い捨てトイレバッグが提供され、
このペット用使い捨てトイレバッグが、
（ｉ）  底面と、
（ｉｉ）  前記底部に接続された第１側面と、
（ｉｉｉ）前記底部に接続された第２側面と、
（ｉｖ）  前記底面、前記第１側面及び第２側面に接続された後面と、
（ｖ）    前記底面、前記第１側面及び第２側面に接続された前面とを含み、
（ｂ）ペット用使い捨てトイレバッグの上部開口部を形成するために、前記前面と前記後面が分離され、
（ｃ）最大限に開口される状態にペット用使い捨てトイレバッグが設定されるために、前記上部開口部を介して、前記第１側面及び前記第２側面に対して内部圧力が使用され、
（ｄ）ペットの出入りのために、ペット用使い捨てトイレバッグに於ける側面の１つの面に開口部が開かれている
ステップからなり、
前記ペット用使い捨てトイレバッグは、前記最大限に開口される状態に於いて前記ペット用使い捨てトイレバッグの室内を満たす単独の空間容量を定義することを特徴とする方法。
【請求項２】
前記面の前記開口部がＵ字状を有することによって、前記側面開口部にドアが形成されることを特徴とする請求項１記載の方法。
【請求項３】
更に、
（ｅ）前記ペットが前記ドアを通過した後に前記ドアが自動的に閉止するステップからなることを特徴とする請求項２記載の方法。
【請求項４】
前記内部圧力が、前記上部開口部から両手を入れることによって加えられることを特徴とする請求項１記載の方法。
【請求項５】
（ｅ）前記上部開口部からペット用トイレ吸収剤を導入するステップから更になる請求項１記載の方法。
【請求項６】
（ｅ）前記上部開口部を閉止するために前記後面と前記前面を当接するステップから更になる請求項１記載の方法。
【請求項７】
（ｅ）前記面の前記開口部を閉止するとともに密封するステップから更になる請求項１記載の方法。
【請求項８】
前記当接が、前記前面と前記後面の上端を折り畳むことにより実施されることを特徴とする請求項６記載の方法。
【請求項９】
前記当接が、ペット用トイレバッグの周囲に沿って第１の平らな可撓性ワイヤーと第２の平らな可撓性ワイヤーが、折れ曲がるように実施され、バッグを閉止するように折り目が設けられることを特徴とする請求項６記載の方法。
【請求項１０】
前記当接が、ペット用トイレバッグの周囲において、平らで曲げやすいワイヤーが垂直に折れ曲がるように実施され、バッグを閉止するように折り目が設けられることを特徴とする請求項６記載の方法。
【請求項１１】
前記当接が、円筒状突出ピンを有する第１バンドを第２バンドの相補的収納部に押し入れることによって実施されることを特徴とする請求項６記載の方法。
【請求項１２】
室内で飼育されているペットの排泄物を受けるためのペット用使い捨てトイレバッグであって、該バッグは硬い紙でできており、
（ａ）底面、
（ｂ）前記底面に接続している第１側面
（ｃ）前記底面に接続している第２側面
（ｄ）前記底面と前記第１側面と前記第２側面に接続している後面、
（ｅ）前記底面と前記第１側面と前記第２側面に接続している前面、
（ｆ）前記ペット用トイレバッグの面の側部開口部、前記ペットの出入りのために形成された前記側部開口部、前記底面に隣接して配置される前記側部開口部、
前記第１側面、前記第２側面、前記ペット用トイレバッグを開いた状態で設けるための上部開口部を形成する前記後面と前面からなり、
前記第１側面と、前記第２側面と、前記後面と前記前面の少なくともいくつかは、前記ペット用トイレバッグを折り畳むための予め形成された折り目を有し、前記開いた状態の前記ペット用トイレバッグの内部を満たす単一の容積を定義する前記ペット用トイレバッグであることを特徴とする。
【請求項１３】
（ｇ）前記後面と前面間の確実な閉止を提供する仕組みを更に含むことを特徴とする請求項１に記載の前記ペット用トイレバッグ。
【請求項１４】
前記仕組みが、前記後面と前記前面の上端に取り付けられることを特徴とする請求項１３のペット用使い捨てトイレバック。
【請求項１５】
前記側部開口部が複数の穿孔によって予備形成されることを特徴とする請求項１２のペット用使い捨てトイレバック。
【請求項１６】
前記複数の穿孔が実質的にＵ字状であり、前記穿孔が裂かれると、ドアが前記側部開口部に形成されることを特徴とする請求項１５のペット用使い捨てトイレバック。
【請求項１７】
前記ペット用トイレバックに前記ペットが出入りした後に閉じるために前記ドアが設計され形成されることを特徴とする請求項１６のペット用使い捨てトイレバック。
【請求項１８】
前記側部開口部を閉止及び密封するために更に設計及び形成されることを特徴とする請求項１２のペット用使い捨てトイレバック。
【請求項１９】
前記ペット用トイレバックを運ぶために前記前面及び後面に１組の把手部を更に含むことを特徴とする請求項１２のペット用使い捨てトイレバック。
【請求項２０】
前記確実な閉止が、開放可能な閉止であることを特徴とする請求項１３のペット用使い捨てトイレバック。
【請求項２１】
前記取り外し可能な閉止が円筒状突出ピンを有する第１バンド及び前記円筒状突出ピンを受け取るための相補的収納部を有する第２バンドであることを特徴とする請求項２０のペット用使い捨てトイレバック。
【国際調査報告】
2004517626.tif 000037
2004517626.tif 000038
2004517626.tif 000039